(57)【特許請求の範囲】
【請求項１】
可視光通信を行う照明器具と、前記照明器具が送信する暗号解除情報を受信することによって動作可能となる情報機器と、を備える可視光通信システムであって、
前記照明器具へトリガ信号を送信するトリガ部を、前記照明器具及び前記情報機器から独立して備え、
前記照明器具は、前記トリガ部が所定の時間間隔で送信するトリガ信号に応じて前記暗号解除情報を送信し、
前記情報機器は、所定の周期の計時サイクルを繰り返し、前記計時サイクルと同期したタイミングで取得するデータのみを前記照明器具が送信する適正な暗号解除情報として採用することを特徴とする可視光通信システム。
【請求項２】
前記照明器具は、
前記暗号解除情報の送信期間以外の期間において前記照明器具自体が生成するダミーの情報を送信して該照明器具の輝度を略一定にすることを特徴とする請求項１に記載の可視光通信システム。
【請求項３】
前記照明器具は複数の光源を有し、
前記複数の光源は、前記トリガ信号に基づいて選択的に点灯して前記暗号解除情報を送信することを特徴とする請求項１に記載の可視光通信システム。
【発明の詳細な説明】
【技術分野】
【０００１】
本発明は、照明器具を用いた可視光通信システムに関する。
【背景技術】
【０００２】
可視光通信を行う照明器具の下にコンピュータが配置され、コンピュータは、照明器具が送信する解読キー情報を受信することによって、暗号化メッセージの解読が可能になる通信システムが知られている（例えば、特許文献１参照）。この通信システムでは、コンピュータは、可視光通信を行う照明器具から解読キー情報を受信しない状態では暗号を解除できないのでセキュリティが保たれる。
【０００３】
一方、光タグに蓄積された情報を可視光通信によって光タグリーダに送信するシステムであって、光タグは、光タグリーダが送信したトリガ信号を受信したときに情報の送信を開始するように構成されたものが知られている（例えば、特許文献２参照）。
【特許文献１】特表２００２−５３０９６８号公報
【特許文献２】特開２００６−８５５９４号公報
【発明の開示】
【発明が解決しようとする課題】
【０００４】
ところが、特許文献１に記載の通信システムでは、第三者が、照明器具が送信する照明光の波形を解析して、該照明光の波形と同じ波形の光を出力する照明器具を作成した場合には、その照明器具から偽の解読キー情報を送信させることができ、コンピュータのセキュリティが破られる虞がある。特許文献２に記載のシステムは、光タグと光タグリーダとの間の情報通信に関するものであって、照明器具が可視光通信を行うものではなく、照明器具に関連してコンピュータのセキュリティを高めようとするものでもない。
【０００５】
本発明は、可視光通信を行う照明器具と、該照明器具が送信する暗号解除情報を受信することによって動作可能となる情報機器とを備える可視光通信システムにおいて、容易にセキュリティが破られる虞がない可視光通信システムを提供することを目的とする。
【課題を解決するための手段】
【０００６】
上記目的を達成するために、請求項１の発明は、可視光通信を行う照明器具と、前記照明器具が送信する暗号解除情報を受信することによって動作可能となる情報機器と、を備える可視光通信システムであって、前記照明器具へトリガ信号を送信するトリガ部を、前記照明器具及び前記情報機器から独立して備え、前記照明器具は、前記トリガ部が所定の時間間隔で送信するトリガ信号に応じて前記暗号解除情報を送信し、前記情報機器は、所定の周期の計時サイクルを繰り返し、前記計時サイクルと同期したタイミングで取得するデータのみを前記照明器具が送信する適正な暗号解除情報として採用することを特徴とする。
【０００７】
請求項２の発明は、請求項１に記載の可視光通信システムにおいて、前記照明器具は、前記暗号解除情報の送信期間以外の期間において前記照明器具自体が生成するダミーの情報を送信して該照明器具の輝度を略一定にすることを特徴とする。
【０００９】
請求項３の発明は、請求項１に記載の可視光通信システムにおいて、前記照明器具は複数の光源を有し、前記複数の光源は、前記トリガ信号に基づいて選択的に点灯して前記暗号解除情報を送信することを特徴とする。
【発明の効果】
【００１０】
請求項１の発明によれば、可視光通信を行う照明器具がトリガ信号に応じたタイミングで暗号解除情報を送信するので、情報機器は、トリガ信号の発生タイミングに応じて受信する適正な暗号解除情報以外の情報を取得することがなく、セキュリティが容易に破られる虞がない。
【００１１】
請求項２の発明によれば、請求項１の発明の効果に加えて、照明器具の輝度が略一定になるので、チラツキが抑えられて快適な照明が得られる。
【００１３】
請求項３の発明によれば、暗号解除情報が複数の光源から分散して送信されるので、情報機器のセキュリティがさらに向上される。
【発明を実施するための最良の形態】
【００１４】
（第１の実施形態）
本発明の第１の実施形態に係る可視光通信システムについて、図１乃至図５を参照して説明する。まず、本実施形態の可視光通信システム１の概念を図１に示す。本実施形態の可視光通信システム１は、可視光通信を行う照明器具２と、照明器具２の照射光Ｌに重畳して送信されるパスワードデータ（暗号解除情報）を受信する情報機器３と、を備え、さらに、照明器具２、情報機器３とは別体のトリガ信号Ｔを無線送信するトリガ部４を備える。情報機器３は、照明器具２から受信したパスワードデータを用いて暗号解除を行う。
【００１５】
具体的には、図２に示されるように、情報機器３は、コンピュータネットワーク５に接続された光受信回路６付きのパソコン７であり、照明器具２は、本実施形態においては、蛍光灯等の放電灯照明器具を用いている。本実施形態では、光受信回路６は、パソコン７に接続されたＵＳＢメモリに内蔵されている。トリガ部４は、照明器具２の近傍に設けられ、所定の時間間隔でトリガ信号Ｔを無線送信する。また、コンピュータネットワーク５には、サーバ９が接続され、照明器具２からの照明が到達しない位置（例えば、隣の部屋）に設置されたパソコン１１等も接続されている。
【００１６】
本実施形態の照明器具２について、図３を参照して詳細に説明する。照明器具２は、放電灯１２と、トリガ部４からのトリガ信号Ｔを受信すると共に放電灯１２の点灯状態を制御する制御回路１３と、放電灯１２を点灯させる点灯回路１４と、を備えている。制御回路１３は、無線受信回路であるトリガ信号受信部１５と、パスワードデータ記憶部１６と、マイクロプロセッサから構成された制御部１７と、周波数変調部１８と、を備える。制御部１７は、トリガ信号受信部１５がトリガ信号Ｔを受信したときにパスワードデータ記憶部１６から読出したパスワードデータｐｄに基づいて周波数変調部１８へ周波数変調信号を送信する。点灯回路１４は、商用電源を整流平滑して電源を供給する直流電源回路１９と、インバータ回路２１と、インバータ回路２１のスイッチング素子を所定の周波数でオンオフする発振回路２２と、を備える。
【００１７】
上記のように構成された照明器具２は、トリガ信号Ｔを受信したタイミングで、放電灯１２の光を、パスワードデータｐｄに基づいた所定のデータ長の波形に変更して出力する。また、制御部１７は、パスワードデータｐｄのデータ長と略同等の長さのダミーデータを記憶しており、照明器具２は、パスワードデータｐｄに基づいた波形の光を出力する期間以外において該ダミーデータに基づいた所定の波形の光を出力する。ダミーデータｄｄは、パスワードデータｐｄに基づいた波形の光が出力される期間と、ダミーデータｄｄに基づいた波形の光が出力される期間とで、照明器具２の輝度が略同一になるように設定されている。これによって、人間が照明器具２を見たときのチラツキ感が抑えられる。
【００１８】
本実施形態の情報機器３について、図４を参照して説明する。情報機器３は、ＵＳＢメモリが接続されたパソコン７（情報機器本体）であり、ＵＳＢメモリの筐体内に光受信回路６を備えている。光受信回路６は、照明器具２から出力される光Ｌを受光して電気量に変換する光電変換部２３と、光電変換部２３が出力した微小電圧を増幅する増幅回路２４と、特定周波数帯の信号のみを通過させるバンドパスフィルタ２５と、バンドパスフィルタ２５の出力信号を２値化する復調部２６と、を備える。
【００１９】
上記のように構成された情報機器３において、パソコン７は、光受信回路６が受信して復調した２値化情報（パスワードデータｐｄとダミーデータｄｄ）を受取るが、パソコン７は、内蔵するタイマ回路２７によって計時したトリガ信号Ｔの発生タイミングと同じタイミングで受取った２値化情報のみを適正なパスワードデータｐｄとして採用する。
【００２０】
次に、トリガ部４がトリガ信号Ｔを出力するタイミングと、照明器具２がパスワードデータｐｄ、及びダミーデータｄｄを出力するタイミングと、パソコン７内のタイマ回路２７の計時サイクルについて、図５のタイミングチャートを参照して説明する。図５において、トリガ部４が出力するトリガ信号Ｔを上段に表わし、照明器具２が可視光通信データとして出力するパスワードデータｐｄとダミーデータｄｄとを中段に表わし、タイマ回路２７の計時サイクルを下段に表わす。
【００２１】
トリガ信号Ｔは、トリガ部４によって予め決められた所定の時間間隔Ｔａ（例えば、１秒間隔）で出力される。照明器具２は、トリガ信号Ｔを受信したタイミングｔ１、ｔ２、ｔ３・・で所定長のパスワードデータｐｄをパケットデータとして出力し、パスワードデータｐｄの出力を終了した後、次のトリガ信号Ｔを受信するまでの期間はダミーデータｄｄを繰り返し出力する。
【００２２】
パソコン７内のタイマ回路２７は、トリガ信号Ｔの間隔Ｔａに対応した所定の周期Ｔｓで計時サイクルを繰り返し、パソコン７は、タイマ回路２７による計時サイクルの開始時点と同期したタイミングで取得するデータのみを適正なパスワードデータｐｄとして採用し、所定の暗号解除動作を行う。具体的には、パソコン７は、図５におけるタイミングｔ２において光受信回路６から取得するパケットデータをパスワードデータｐｄとして採用する。
【００２３】
なお、トリガ部４とパソコン７とは、別々の機器であって互いに独立して動作しているので、トリガ信号Ｔに対するパソコン７内のタイマ回路２７の計時サイクルの同期が、徐々にずれてくることが予想されるが、その場合には、照明器具２の照射光に重畳するデータの中に同期用データｓｄを挿入することによってパソコン７内のタイマ回路２７を修正させ、同期を回復させることができる。具体的には、図５におけるタイミングｔ１の時点では、トリガ信号Ｔに対するタイマ回路２７の計時サイクルの同期が外れているが、照明器具２が出力する同期用データｓｄをパソコン７が光受信回路６を介して受信し、パソコン７自体がタイマ回路２７の計時サイクルを修正する。従って、次のトリガ信号Ｔが出力されたタイミングｔ２では、パソコン７は、適正にパスワードデータｐｄを取得することができる。
【００２４】
以上のように、本実施形態の可視光通信システム１では、パソコン７が光受信回路６を介して取得するデータのうち、トリガ信号Ｔの出力タイミングと同じタイミングで取得するデータのみを適正なパスワードデータｐｄとして採用するので、不特定のタイミングで発生された偽のパスワードデータを誤って適正なパスワードデータｐｄとして採用することがなく、パソコン７のセキュリティが保たれる。
【００２５】
このことを図２に戻って具体的に説明する。図２における照明器具２からの光Ｌを受光できる範囲内にあるパソコン７は、照明器具２が出力するパスワードデータｐｄを取得して暗号を解除し、サーバ９に対してアクセスすることが可能になるが、隣の部屋等にあって照明器具２からの光Ｌを受光することができないパソコン１１は、パスワードデータｐｄを取得することができないのでサーバ９にアクセスすることができない。換言すると、同一のコンピュータネットワーク５に接続されたパソコン７、１１であっても照明器具２からの光Ｌを受光できる狭い範囲内（同一部屋内）にあるパソコン７だけが適正なパスワードデータｐｄを取得することができて暗号解除動作を行うことができるのでセキュリティが保たれる。
【００２６】
また、仮に、悪意の第三者が照明器具２の波形と同一の波形を出力する照明器具を作成し、その照明器具によって隣室にあるパソコン１１を照明しても、その偽装された照明光に重畳されるデータは、トリガ信号Ｔに対して同期がとれていないので、パソコン１１は、偽装された照明器具からのデータをパスワードデータｐｄとして採用しない。従って、パソコン１１は暗号を解除することができずサーバ９にアクセスすることができない。なお、照明器具２から情報機器３へパスワードデータを送信する光は赤外線であってもよい。
【００２７】
（第２の実施形態）
本発明の第２の実施形態に係る可視光通信システム１について、図６乃至図８を参照して説明する。第２の実施形態の可視光通信システム１は、第１の実施形態の可視光通信システム１と略同一のハード構成を備え、異なる点は、図６に概念的に示されるように、トリガ部４が情報機器３自体に備えられている点である。
【００２８】
第２の実施形態の情報機器３について、図７を参照して具体的に説明する。本実施形態の情報機器３は、第１の実施形態の情報機器と同様に、パソコン（情報機器本体）７と、パソコン７に接続された光受信回路６を内蔵するＵＳＢメモリと、を備え、さらにトリガ信号Ｔの無線送信機能を有するトリガ部４を備える。逆に、パソコン７は、第１の実施形態とは異なりトリガ信号Ｔの発生間隔を計時するタイマ回路を有さない。照明器具２は、第１の実施形態と同様の放電灯照明器具である。
【００２９】
次に、第２の実施形態におけるパソコン７がトリガ部４を介してトリガ信号Ｔを出力するタイミングと、照明器具２がパスワードデータｐｄ、及びダミーデータｄｄを出力するタイミングについて、図８のタイミングチャートを参照して説明する。図８において、トリガ部４が出力するトリガ信号Ｔを上段に表わし、照明器具８が可視光通信データとして出力するパスワードデータｐｄとダミーデータｄｄとを下段に表わす。
【００３０】
トリガ部４は、ユーザがパソコン７の操作を開始することによってトリガ信号Ｔを照明器具２へ向けて送信する。具体的には、トリガ部４は、パソコン７からトリガ信号Ｔの送信命令ｓ（図７参照）が入力されることによって一定間隔Ｔａでｎ個のトリガ信号Ｔを送信し、トリガ信号Ｔを受信した照明器具２は、第１の実施形態と同様に、トリガ信号Ｔを受信したタイミングｔ１、ｔ２、ｔ３・・ｔｎで所定長のパスワードデータｐｄをパケットデータとして出力する。また、照明器具２は、パスワードデータｐｄの出力を終了した後、次のトリガ信号Ｔを受信するまでの期間ダミーデータｄｄを繰り返し出力する。パソコン７は、パソコン７自体がトリガ部４を介してトリガ信号Ｔを送信したタイミングｔ１、ｔ２、ｔ３・・ｔｎの時点に受取ったデータを適正なパスワードデータｐｄとして採用する。
【００３１】
例えば、パソコン７がファイルを開くアプリケーションを実行している場合には、パソコン７は、ファイルを開く動作に合わせてトリガ信号Ｔを送信し、上記の手順で取得した最初のパスワードデータｐｄを用いて暗号解除動作を行う。パソコン７がウェブブラウザを閲覧する場合や、ネットワークにログインしている場合には、パソコン７は、暗号解除動作を行う度に、適宜タイミング（ｔ１、ｔ２・・ｔｎ）で取得するパスワードデータｐｄを用いて暗号解除動作を行う。
【００３２】
なお、トリガ部４は、パソコン７からのトリガ信号Ｔの送信命令ｓが入力されることによって単発で１個のトリガ信号Ｔを送信し、パソコン７は、パスワードデータｐｄの取得に失敗したときに、所定時間後に再びトリガ部４に対してトリガ信号Ｔの送信命令ｓを出力し、再び１個のトリガ信号Ｔを送信するように構成してもよい。
【００３３】
以上のように、本実施形態の可視光通信システム１では、トリガ部４が情報機器３に備えられるので、パソコン７内にトリガ信号Ｔの送信タイミングを計時するタイマ回路２７が不要になり、可視光通信システムの構成が簡素になる。
【００３４】
（第３の実施形態）
本発明の第３の実施形態に係る可視光通信システム１について、図９を参照して説明する。第３の実施形態の可視光通信システム１は、複数の情報機器３１、３２、・・３ｎと、各情報機器３１、３２、・・３ｎに対応する複数の照明器具８１、８２、・・８ｎを備え、各情報機器３１、３２、・・３ｎは、第２の実施形態と略同様の構成であって、それぞれトリガ部４を備える。各照明器具８１、８２、・・８ｎは、第２の実施形態の照明器具２と略同一の構成である。
【００３５】
また、複数の情報機器３１、３２、・・３ｎが情報ネットワーク（ＬＡＮ）３００によって接続され、各照明器具８１、８２、・・８ｎが接続された照明用ネットワーク８００に対してゲートウェイ端末３０を介して接続されている。情報ネットワーク（ＬＡＮ）３００には、サーバ４００が接続されている。ゲートウェイ端末３０は、情報ネットワーク３００と照明用ネットワーク８００との間のデータ変換を行う。情報ネットワーク３００、及び照明用ネットワーク８００は、有線で構成されてもよいし、無線で構成されてもよい。
【００３６】
情報機器３１、３２、・・３ｎが照明器具８１、８２、・・８ｎから送信されるパスワードデータを取得するまでの各信号の出力タイミングは、第２の実施形態と略同様であり、次の通りである。いま、ユーザが情報機器３ｎの操作を開始すると、情報機器３ｎのトリガ部４が情報ネットワーク３００へトリガ信号Ｔを出力し、そのトリガ信号Ｔがゲートウェイ端末３０、及び照明用ネットワーク８００を介して対応する照明器具８ｎへ入力される。トリガ信号Ｔを入力された照明器具８ｎは、パスワードデータｐｄを照射光に重畳して出力する。情報機器３ｎは、情報機器３ｎ自体がトリガ信号Ｔを出力したタイミングに応じたタイミングで取得したパスワードデータｐｄを適正なパスワードｐｄとして採用し、採用したパスワードデータｐｄを用いて暗号解除動作を行う。
【００３７】
以上のように、本実施形態の可視光通信システム１では、複数の情報機器３１、３２、・・３ｎが、複数の照明器具８１、８２、・・８ｎに対して情報ネットワーク３００、及び照明用ネットワーク８００を介して接続されるので、情報機器３１、３２、・・３ｎと、照明器具８１、８２、・・８ｎとの対応付けが容易であり、情報機器３１、３２、・・３ｎ毎にパスワードデータｐｄを異なるように構成してより高いセキュリティを実現することができる。
【００３８】
（第４の実施形態）
本発明の第４の実施形態に係る可視光通信システム１について、図１０乃至図１２を参照して説明する。第４の実施形態の可視光通信システム１は、第２の実施形態と略同一の構成であり、トリガ部４が情報機器３に備えられ、パソコン７（情報機器本体）自体が所定のタイミングでトリガ部４を介してトリガ信号Ｔの送信を行い、そのトリガ信号Ｔによって照明器具４０にパスワードデータｐｄの送信を行わせる構成になっている。異なっている点は、第４の実施形態では、照明器具４０が放電等照明器具ではなく、複数の光源を有するＬＥＤ照明器具とされ、トリガ信号Ｔが、該複数の光源に対応して異なったデータ送信タイミングを示す信号とされている点である。
【００３９】
ＬＥＤ照明器具４０について、図１０を参照して説明する。ＬＥＤ照明器具４０は、第２の実施形態の放電灯照明器具と異なり、放電灯１２に代えて赤、緑、青色の３個のＬＥＤ光源１２ｒ、１２ｇ、１２ｂを有し、点灯回路１４がインバータ回路２１に代えて各ＬＥＤ光源１２ｒ、１２ｇ、１２ｂ毎に調光制御を行うＰＷＭ駆動回路４１を有する。また、制御回路１３の制御部１７は、トリガ信号受信部１５から入力されるトリガ信号Ｔに基づいて、ＰＷＭ駆動回路４１へ各ＬＥＤ光源１２ｒ、１２ｇ、１２ｂ毎に独立した制御信号を出力する。ＬＥＤ照明器具４０は、上記の構成を有しており、各ＬＥＤ光源１２ｒ、１２ｇ、１２ｂがそれぞれ後述する独立したタイミングでパスワードデータｐｄ、及びダミーデータｄｄを出力する。
【００４０】
情報機器３について、図１１を参照して説明する。本実施形態の情報機器３は、第２の実施形態の情報機器３と略同一の構成を有し、異なる点は、光受信回路６０が赤、緑、青色の各色に対応した光電変換部２３ｒ、２３ｇ、２３ｂと、増幅回路２４ｒ、２４ｇ、２４ｂと、バンドパスフィルタ２５ｒ、２５ｇ、２５ｂと、復調部２６ｒ、２６ｇ、２６ｂと、を備える点と、トリガ部４からのセレクト信号Ｓｔに基づいて復調部２６ｒ、２６ｇ、２６ｂから出力される２値化情報（パスワードデータｐｄ、ダミーデータｄｄ）を選択的に合成するセレクタ部６１を備える点である。光電変換部２３ｒ、２３ｇ、２３ｂは、それぞれ赤、緑、青色の光のみを透過するフィルタを備えている。
【００４１】
また、トリガ部４から出力される信号は、トリガ信号送信部４ａによって無線信号（トリガ信号Ｔ）として送出される。本実施形態のトリガ信号Ｔは、各ＬＥＤ光源１２ｒ、１２ｇ、１２ｂについて異なったパスワードデータｐｄの送信タイミングを与える３種類のトリガ信号Ｔｒ、Ｔｇ、Ｔｂを含んでいる。トリガ信号Ｔｒが赤色ＬＥＤ光源１２ｒのパスワード送信タイミングを与え、トリガ信号Ｔｇが緑色ＬＥＤ光源１２ｇのパスワード送信タイミングを与え、トリガ信号Ｔｂが青色ＬＥＤ光源１２ｂのパスワード送信タイミングを与える。
【００４２】
次に、トリガ部４がトリガ信号Ｔｒ、Ｔｇ、Ｔｂを送信するタイミングと、ＬＥＤ照明器具４０の各ＬＥＤ光源１２ｒ、１２ｇ、１２ｂがパスワードデータｐｄｒ、ｐｄｇ、ｐｄｂ、及びダミーデータｄｄを送信するタイミングと、セレクタ部６１がパスワードデータｐｄｒ、ｐｄｇ、ｐｄｂを選択するタイミングについて、図１２のタイミングチャートを参照して説明する。
【００４３】
本実施形態のトリガ信号Ｔは、パソコン７からトリガ部４へトリガ信号Ｔの送信命令ｓが出力されたときに、図１２に示されるように、トリガ信号Ｔｒ、トリガ信号Ｔｂ、トリガ信号Ｔｒ、トリガ信号Ｔｇ、・・トリガ信号Ｔｇの順序で送信される。これらトリガ信号Ｔｒ、Ｔｂ、Ｔｒ、Ｔｇ、・・Ｔｂ、Ｔｇの種類、及び送信順序は、予めトリガ部４、又はパソコン７に記憶されている。
【００４４】
上記のように所定の順序で送信されるトリガ信号Ｔｒ、Ｔｇ、Ｔｂを受信したＬＥＤ照明器具４０の制御回路１３は、トリガ信号Ｔｒ、Ｔｇ、Ｔｂの種類毎にＰＷＭ駆動回路４１を駆動して、各ＬＥＤ光源１２ｒ、１２ｇ、１２ｂを別々のタイミングで調光してそれぞれパスワードデータｐｄｒ、ｐｄｇ、ｐｄｂを送信させる。具体的には、ＬＥＤ照明器具４０は、図１２に示されるように、トリガ信号Ｔｒを受信したタイミング（ｔ１、ｔ３、ｔ６）で赤色ＬＥＤ光源１２ｒからパスワードデータｐｄｒを送信し、次にトリガ信号Ｔｒを受信するまでの期間はダミーデータｄｄの送信を繰り返す。同様に、ＬＥＤ照明器具４０は、トリガ信号Ｔｇを受信したタイミング（ｔ４、ｔ８）で緑色ＬＥＤ光源１２ｇからパスワードデータｐｄｇを送信し、次にトリガ信号Ｔｇを受信するまでの期間はダミーデータｄｄの送信を繰り返し、トリガ信号Ｔｂを受信したタイミング（ｔ２、ｔ５、ｔ７）で青色ＬＥＤ光源１２ｂからパスワードデータｐｄｂを送信し、次にトリガ信号Ｔｂを受信するまでの期間はダミーデータｄｄの送信を繰り返す。
【００４５】
情報機器３の光受信回路６０は、上記のようにしてＬＥＤ照明器具４０から送信されるパスワードデータｐｄｒ、ｐｄｇ、ｐｄｂ、及びダミーデータｄｄを、各色毎に受信して２値化し、セレクタ部６１へ出力する。セレクタ部６１は、トリガ部４から入力されるセレクト信号Ｓｔに基づいて復調部２６ｒ、２６ｇ、２６ｂから入力されたパスワードデータｐｄｒ、ｐｄｇ、ｐｄｂ、及びダミーデータｄｄを選択して合成する。セレクタ部６１によって選択された一連のパスワードデータｐｄｒ、ｐｄｂ、・・ｐｄｇを図１２の下段に示す。パソコン７は、一連のパスワードデータｐｄｒ、ｐｄｂ、・・ｐｄｇを１つのパスワードとして取得し、暗号解除動作を実行する。
【００４６】
セレクタ部６１の動作についてさらに説明する。セレクト信号Ｓｔは、トリガ信号Ｔｒ、Ｔｇ、Ｔｂと同一のタイミングでトリガ部４からセレクタ部６１へ出力される信号であり、各トリガ信号Ｔｒ、Ｔｇ、Ｔｂの発生タイミングと共に、３種類のトリガ信号Ｔｒ、Ｔｇ、Ｔｂの種類別の情報を含む信号である。セレクタ部６１は、該セレクト信号Ｓｔに基づいてパスワードデータｐｄｒ、ｐｄｇ、ｐｄｂ、及びダミーデータｄｄを選択して合成し、ダミーデータｄｄの含まれないパスワードデータｐｄｒ、ｐｄｇ、ｐｄｂのみによって構成された一連のパスワードデータｐｄｒ、ｐｄｂ、・・ｐｄｇを合成する。具体的には、セレクタ部６１は、ｔ１の時点でセレクト信号Ｓｔからトリガ信号Ｔｒの発生タイミングを取得し、復調部２６ｒが出力するパスワードデータｐｄｒを選択する。次に、セレクタ部６１は、ｔ２の時点でセレクト信号Ｓｔからトリガ信号Ｔｂの発生タイミングを取得し、復調部２６ｂが出力するパスワードデータｐｄｂを選択する。セレクタ部６１は、このような動作を繰り返して一連のパスワードデータｐｄｒ、ｐｄｂ、・・ｐｄｇを合成する。
【００４７】
上記の手順で合成された一連のパスワードデータｐｄｒ、ｐｄｂ、・・ｐｄｇは、３種類のパスワードデータｐｄｒ、ｐｄｇ、ｐｄｂの出現順序自体がトリガ部４、又はパソコン７によって記憶された暗号情報になっているので偽造することが困難であり、セキュリティレベルが向上される。
【００４８】
以上のように、本発明の可視光通信システムでは、可視光通信を行う照明器具２、８１、８２、・・８ｎ、４０がトリガ信号Ｔ、Ｔｒ、Ｔｇ、Ｔｂに応じたタイミングでパスワードデータｐｄ、ｐｄｒ、ｐｄｇ、ｐｄｂを送信するので、情報機器３は、トリガ信号の発生タイミングに応じて送信される適正なパスワードデータを正しく取得することができ、セキュリティが保たれる。
【図面の簡単な説明】
【００４９】
【図１】本発明の第１の実施形態に係る可視光通信システムの概略構成を示す概念図。
【図２】同可視光通信システムの具体的構成を示す図。
【図３】同可視光通信システムにおける照明器具の構成を示すブロック図。
【図４】同可視光通信システムにおける情報機器の構成を示すブロック図。
【図５】同可視光通信システムにおけるトリガ信号とパスワードデータの出力タイミング、及び情報機器内のタイマ回路の計時サイクルを示すタイミングチャート。
【図６】本発明の第２の実施形態に係る可視光通信システムの概略構成を示す概念図。
【図７】同可視光通信システムにおける情報機器の構成を示すブロック図。
【図８】同可視光通信システムにおけるトリガ信号とパスワードデータの出力タイミングを示すタイミングチャート。
【図９】本発明の第３の実施形態に係る可視光通信システムの概略構成を示す図。
【図１０】本発明の第４の実施形態に係る可視光通信システムにおける照明器具の構成を示すブロック図。
【図１１】同可視光通信システムにおける情報機器の構成を示すブロック図。
【図１２】同可視光通信システムにおけるトリガ信号とパスワードデータの出力タイミング、及びセレクタ部によって合成される一連のパスワードデータを示すタイミングチャート。
【符号の説明】
【００５０】
１  可視光通信システム
２  照明器具
３  情報機器
４  トリガ部
４０  ＬＥＤ照明器具（照明器具）
１２ｒ、１２ｇ、１２ｂ  ＬＥＤ光源（光源）
Ｔ、Ｔｒ、Ｔｇ、Ｔｂ  トリガ信号
ｐｄ、ｐｄｒ、ｐｄｇ、ｐｄｂ  パスワードデータ（暗号解除情報）
ｄｄ  ダミーデータ（ダミー情報）
【図１】
0004960158.tif 000002
【図２】
0004960158.tif 000003
【図３】
0004960158.tif 000004
【図４】
0004960158.tif 000005
【図５】
0004960158.tif 000006
【図６】
0004960158.tif 000007
【図７】
0004960158.tif 000008
【図８】
0004960158.tif 000009
【図９】
0004960158.tif 000010
【図１０】
0004960158.tif 000011
【図１１】
0004960158.tif 000012
【図１２】
0004960158.tif 000013